【手続補正書】
【提出日】令和3年9月27日(2021.9.27)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
物理ブロードキャストチャネル（ＰＢＣＨ）中でタイプ０物理ダウンリンク制御チャネル（ＰＤＣＣＨ）共通探索空間制御リソースセット（ＣＯＲＥＳＥＴ）構成と物理リソースブロック（ＰＲＢ）グリッドオフセットとを受信すること、前記タイプ０  ＰＤＣＣＨ共通探索空間ＣＯＲＥＳＥＴ構成が、ＳＳＢのＰＲＢの周波数ロケーションに対するタイプ０  ＰＤＣＣＨ共通探索空間ＣＯＲＥＳＥＴリソースブロック（ＰＲＢ）の周波数ロケーションに関係する１つまたは複数のオフセットに対応する１つまたは複数のオフセット値を示すインジケーションを備える、と、
前記ＰＲＢグリッドオフセットを適用することによってタイプ０  ＰＤＣＣＨ共通探索空間ＣＯＲＥＳＥＴのＰＲＢグリッドとＳＳＢのＰＲＢグリッドをアラインすることと、
前記ＵＥによって記憶されたマッピングを使用して前記１つまたは複数のオフセット値に前記インジケーションをマッピングすることと、
前記１つまたは複数のオフセット値と前記ＳＳＢのＰＲＢの前記周波数ロケーションとに基づいて前記タイプ０  ＰＤＣＣＨ共通探索空間ＣＯＲＥＳＥＴ  ＰＲＢの前記周波数ロケーションを決定することと、
前記タイプ０  ＰＤＣＣＨ共通探索空間ＣＯＲＥＳＥＴ中でタイプ０  ＰＤＣＣＨを受信することと
を備え、前記１つまたは複数のオフセット値の各々は、オフセットステップサイズに少なくとも１つに基づき、
前記オフセットステップサイズは、前記タイプ０  ＰＤＣＣＨ共通探索空間ＣＯＲＥＳＥＴのサブキャリア間隔に少なくとも依存する、方法。
【請求項２】
前記タイプ０  ＰＤＣＣＨ共通探索空間ＣＯＲＥＳＥＴと前記ＳＳＢとは、時分割多重化される、および／または
前記タイプ０  ＰＤＣＣＨ共通探索空間ＣＯＲＥＳＥＴと前記ＳＳＢとは、周波数分割多重化される、
請求項１に記載の方法。
【請求項３】
１つまたは複数のオフセット値を示す前記インジケーションは、前記タイプ０  ＰＤＣＣＨ共通探索空間ＣＯＲＥＳＥＴの帯域幅をさらに示す、
請求項１に記載の方法。
【請求項４】
前記ＵＥによって記憶された前記マッピングを使用して前記１つまたは複数のオフセット値に前記インジケーションをマッピングすることは、前記タイプ０  ＰＤＣＣＨ共通探索空間ＣＯＲＥＳＥＴのサブキャリア間隔に基づいて前記インジケーションをマッピングすることをさらに備える、
請求項１に記載の方法。
【請求項５】
前記１つまたは複数のオフセット値のうちのオフセット値は、０のオフセット値を示し、０のオフセット値は、前記ＳＳＢのＰＲＢのうちの最小のＰＲＢが前記アラインすることの後に前記タイプ０  ＰＤＣＣＨ共通探索空間ＣＯＲＥＳＥＴ  ＰＲＢのうちの最小のＰＲＢと同じ周波数を有することを示す、
請求項１に記載の方法。
【請求項６】
装置であって、
物理ブロードキャストチャネル（ＰＢＣＨ）中でタイプ０物理ダウンリンク制御チャネル（ＰＤＣＣＨ）共通探索空間制御リソースセット（ＣＯＲＥＳＥＴ）構成と物理リソースブロック（ＰＲＢ）グリッドオフセットとを受信するための手段、前記タイプ０  ＰＤＣＣＨ共通探索空間ＣＯＲＥＳＥＴ構成が、ＳＳＢのＰＲＢの周波数ロケーションに対するタイプ０  ＰＤＣＣＨ共通探索空間ＣＯＲＥＳＥＴリソースブロック（ＰＲＢ）の周波数ロケーションに関係する１つまたは複数のオフセットに対応する１つまたは複数のオフセット値を示すインジケーションを備える、と、
前記ＰＲＢグリッドオフセットを適用することによってタイプ０  ＰＤＣＣＨ共通探索空間ＣＯＲＥＳＥＴのＰＲＢグリッドとＳＳＢのＰＲＢグリッドをアラインするための手段と、
前記装置によって記憶されたマッピングを使用して前記１つまたは複数のオフセット値に前記インジケーションをマッピングするための手段と、
前記１つまたは複数のオフセット値と前記ＳＳＢのＰＲＢの前記周波数ロケーションとに基づいて前記タイプ０  ＰＤＣＣＨ共通探索空間ＣＯＲＥＳＥＴ  ＰＲＢの前記周波数ロケーションを決定するための手段と、
前記タイプ０  ＰＤＣＣＨ共通探索空間ＣＯＲＥＳＥＴ中でタイプ０  ＰＤＣＣＨを受信するための手段と
を備え、前記１つまたは複数のオフセット値の各々は、オフセットステップサイズに少なくとも１つに基づき、
前記オフセットステップサイズは、前記タイプ０  ＰＤＣＣＨ共通探索空間ＣＯＲＥＳＥＴのサブキャリア間隔に少なくとも依存する、装置。
【請求項７】
前記タイプ０  ＰＤＣＣＨ共通探索空間ＣＯＲＥＳＥＴと前記ＳＳＢとは、時分割多重化される、および／または
前記タイプ０  ＰＤＣＣＨ共通探索空間ＣＯＲＥＳＥＴと前記ＳＳＢとは、周波数分割多重化される、請求項６に記載の装置。
【請求項８】
１つまたは複数のオフセット値を示す前記インジケーションは、前記タイプ０  ＰＤＣＣＨ共通探索空間ＣＯＲＥＳＥＴの帯域幅をさらに示す、
請求項６に記載の装置。
【請求項９】
前記ＵＥによって記憶された前記マッピングを使用して前記１つまたは複数のオフセット値に前記インジケーションをマッピングすることは、前記タイプ０  ＰＤＣＣＨ共通探索空間ＣＯＲＥＳＥＴのサブキャリア間隔に基づいて前記インジケーションをマッピングすることをさらに備える、
請求項６に記載の装置。
【請求項１０】
前記１つまたは複数のオフセット値のうちのオフセット値は、０のオフセット値を示し、０のオフセット値は、前記ＳＳＢのＰＲＢのうちの最小のＰＲＢが前記アラインすることの後に前記タイプ０  ＰＤＣＣＨ共通探索空間ＣＯＲＥＳＥＴ  ＰＲＢのうちの最小のＰＲＢと同じ周波数を有することを示す、
請求項６に記載の装置。
【請求項１１】
ユーザ機器（ＵＥ）によって実行されたとき、前記ＵＥに、
物理ブロードキャストチャネル（ＰＢＣＨ）中でタイプ０物理ダウンリンク制御チャネル（ＰＤＣＣＨ）共通探索空間制御リソースセット（ＣＯＲＥＳＥＴ）構成と物理リソースブロック（ＰＲＢ）グリッドオフセットとを受信すること、前記タイプ０  ＰＤＣＣＨ共通探索空間ＣＯＲＥＳＥＴ構成は、ＳＳＢのＰＲＢの周波数ロケーションに対するタイプ０  ＰＤＣＣＨ共通探索空間ＣＯＲＥＳＥＴリソースブロック（ＰＲＢ）の周波数ロケーションに関係する１つまたは複数のオフセットに対応する１つまたは複数のオフセット値を示すインジケーションを備える、と、
前記ＰＲＢグリッドオフセットを適用することによってタイプ０  ＰＤＣＣＨ共通探索空間ＣＯＲＥＳＥＴのＰＲＢグリッドとＳＳＢのＰＲＢグリッドをアラインすることと、
前記ＵＥによって記憶されたマッピングを使用して前記１つまたは複数のオフセット値に前記インジケーションをマッピングすることと、
前記１つまたは複数のオフセット値と前記ＳＳＢのＰＲＢの前記周波数ロケーションとに基づいて前記タイプ０  ＰＤＣＣＨ共通探索空間ＣＯＲＥＳＥＴ  ＰＲＢの前記周波数ロケーションを決定することと、
前記タイプ０  ＰＤＣＣＨ共通探索空間ＣＯＲＥＳＥＴ中でタイプ０  ＰＤＣＣＨを受信することと
を備える方法を実行させる命令をその上に記憶し、前記１つまたは複数のオフセット値の各々は、オフセットステップサイズに少なくとも１つに基づき、
前記オフセットステップサイズは、前記タイプ０  ＰＤＣＣＨ共通探索空間ＣＯＲＥＳＥＴのサブキャリア間隔に少なくとも依存する、非一時的コンピュータ可読媒体。
【請求項１２】
基地局（ＢＳ）によるワイヤレス通信のための方法であって、
ユーザ機器に同期信号ブロック（ＳＳＢ）を送信すること、前記ＳＳＢが、タイプ０物理的ダウンリンク制御チャネル（ＰＤＣＣＨ）共通探索空間制御リソースセット（ＣＯＲＥＳＥＴ）構成と物理リソースブロック（ＰＲＢ）グリッドオフセットとを有する物理ブロードキャストチャネル（ＰＢＣＨ）を備え、前記タイプ０  ＰＤＣＣＨ共通探索空間ＣＯＲＥＳＥＴ構成が、前記ＳＳＢのＰＲＢの周波数ロケーションに対するタイプ０  ＰＤＣＣＨ共通探索空間ＣＯＲＥＳＥＴリソースブロック（ＰＲＢ）の周波数ロケーションに関係する１つまたは複数のオフセットに対応する１つまたは複数のオフセット値を示すインジケーションを備える、と、
前記ＵＥによる受信のために前記タイプ０  ＰＤＣＣＨ共通探索空間ＣＯＲＥＳＥＴ中でタイプ０  ＰＤＣＣＨを送信することと
を備え、前記１つまたは複数のオフセット値の各々は、オフセットステップサイズに少なくとも１つに基づき、
前記オフセットステップサイズは、前記タイプ０  ＰＤＣＣＨ共通探索空間ＣＯＲＥＳＥＴのサブキャリア間隔に少なくとも依存する、方法。
【請求項１３】
前記タイプ０  ＰＤＣＣＨ共通探索空間ＣＯＲＥＳＥＴと前記ＳＳＢとは、時分割多重化される、および／または
前記タイプ０  ＰＤＣＣＨ共通探索空間ＣＯＲＥＳＥＴと前記ＳＳＢとは、周波数分割多重化される、
請求項１２に記載の方法。
【請求項１４】
１つまたは複数のオフセット値を示す前記インジケーションは、前記タイプ０  ＰＤＣＣＨ共通探索空間ＣＯＲＥＳＥＴの帯域幅をさらに示す、
請求項１２に記載の方法。
【請求項１５】
前記１つまたは複数のオフセット値のうちのオフセット値は、０のオフセット値を示し、０のオフセット値は、前記ＳＳＢのＰＲＢのうちの最小のＰＲＢが前記アラインすることの後に前記タイプ０  ＰＤＣＣＨ共通探索空間ＣＯＲＥＳＥＴ  ＰＲＢのうちの最小のＰＲＢと同じ周波数を有することを示す、
請求項１２に記載の方法。
【手続補正２】
【補正対象書類名】明細書
【補正対象項目名】０１４９
【補正方法】変更
【補正の内容】
【０１４９】
[0179]特許請求の範囲は、上記に示された厳密な構成および構成要素に限定されないことを理解されたい。上記で説明された方法および装置の構成、動作および詳細において、特許請求の範囲から逸脱することなく、様々な改変、変更および変形が行われ得る。
以下に、本願出願の当初の特許請求の範囲に記載された発明を付記する。
［Ｃ１］
ユーザ機器（ＵＥ）によるワイヤレス通信のための方法であって、
物理ブロードキャストチャネル（ＰＢＣＨ）中でタイプ０物理ダウンリンク制御チャネル（ＰＤＣＣＨ）共通探索空間制御リソースセット（ＣＯＲＥＳＥＴ）構成と物理リソースブロック（ＰＲＢ）グリッドオフセットとを受信すること、前記タイプ０  ＰＤＣＣＨ共通探索空間ＣＯＲＥＳＥＴ構成が、ＳＳＢのＰＲＢの周波数ロケーションに対するタイプ０  ＰＤＣＣＨ共通探索空間ＣＯＲＥＳＥＴリソースブロック（ＰＲＢ）の周波数ロケーションに関係する１つまたは複数のオフセットに対応する１つまたは複数のオフセット値を示すインジケーションを備える、と、
前記ＰＲＢグリッドオフセットを適用することによってタイプ０  ＰＤＣＣＨ共通探索空間ＣＯＲＥＳＥＴのＰＲＢグリッドとＳＳＢのＰＲＢグリッドをアラインすることと、
前記ＵＥによって記憶されたマッピングを使用して前記１つまたは複数のオフセット値に前記インジケーションをマッピングすることと、
前記１つまたは複数のオフセット値と前記ＳＳＢ  ＰＲＢの前記周波数ロケーションとに基づいて前記タイプ０  ＰＤＣＣＨ共通探索空間ＣＯＲＥＳＥＴ  ＰＲＢの前記周波数ロケーションを決定することと、
前記タイプ０  ＰＤＣＣＨ共通探索空間ＣＯＲＥＳＥＴ中でタイプ０  ＰＤＣＣＨを受信することと
を備える、方法。
［Ｃ２］
前記タイプ０  ＰＤＣＣＨ共通探索空間ＣＯＲＥＳＥＴと前記ＳＳＢとは、時分割多重化される、
Ｃ１に記載の方法。
［Ｃ３］
前記タイプ０  ＰＤＣＣＨ共通探索空間ＣＯＲＥＳＥＴと前記ＳＳＢとは、周波数分割多重化される、
Ｃ１に記載の方法。
［Ｃ４］
１つまたは複数のオフセット値を示す前記インジケーションは、前記タイプ０  ＰＤＣＣＨ共通探索空間ＣＯＲＥＳＥＴの帯域幅をさらに示す、
Ｃ１に記載の方法。
［Ｃ５］
前記１つまたは複数のオフセット値の各々は、オフセットステップサイズ、前記タイプ０  ＰＤＣＣＨ共通探索空間ＣＯＲＥＳＥＴの帯域幅、または前記タイプ０  ＰＤＣＣＨ共通探索空間ＣＯＲＥＳＥＴのサブキャリア間隔（ＳＣＳ）のうちの少なくとも１つに基づく、
Ｃ１に記載の方法。
［Ｃ６］
前記オフセットステップサイズは、前記タイプ０  ＰＤＣＣＨ共通探索空間ＣＯＲＥＳＥＴの前記帯域幅、前記ＳＳＢのサブキャリア間隔、または前記タイプ０  ＰＤＣＣＨ共通探索空間ＣＯＲＥＳＥＴの前記サブキャリア間隔のうちの少なくとも１つに依存する、
Ｃ５に記載の方法。
［Ｃ７］
前記マッピングは、ハッシュ関数を備える、
Ｃ１に記載の方法。
［Ｃ８］
前記ＵＥによって記憶された前記マッピングを使用して前記１つまたは複数のオフセット値に前記インジケーションをマッピングすることは、前記タイプ０  ＰＤＣＣＨ共通探索空間ＣＯＲＥＳＥＴのサブキャリア間隔に基づいて前記インジケーションをマッピングすることをさらに備える、
Ｃ１に記載の方法。
［Ｃ９］
前記１つまたは複数のオフセット値のうちのオフセット値は、０のオフセット値を示し、０のオフセット値は、前記ＳＳＢ  ＰＲＢのうちの最小のＰＲＢが前記アラインすることの後に前記タイプ０  ＰＤＣＣＨ共通探索空間ＣＯＲＥＳＥＴ  ＰＲＢのうちの最小のＰＲＢと同じ周波数を有することを示す、
Ｃ１に記載の方法。
［Ｃ１０］
装置であって、
実行可能命令を備える非一時的メモリと、
前記メモリとデータ通信するプロセッサと
を備え、前記プロセッサは、前記装置に、
物理ブロードキャストチャネル（ＰＢＣＨ）中でタイプ０物理ダウンリンク制御チャネル（ＰＤＣＣＨ）共通探索空間制御リソースセット（ＣＯＲＥＳＥＴ）構成と物理リソースブロック（ＰＲＢ）グリッドオフセットとを受信すること、前記タイプ０  ＰＤＣＣＨ共通探索空間ＣＯＲＥＳＥＴ構成が、ＳＳＢのＰＲＢの周波数ロケーションに対するタイプ０  ＰＤＣＣＨ共通探索空間ＣＯＲＥＳＥＴリソースブロック（ＰＲＢ）の周波数ロケーションに関係する１つまたは複数のオフセットに対応する１つまたは複数のオフセット値を示すインジケーションを備える、と、
前記ＰＲＢグリッドオフセットを適用することによってタイプ０  ＰＤＣＣＨ共通探索空間ＣＯＲＥＳＥＴのＰＲＢグリッドとＳＳＢのＰＲＢグリッドをアラインすることと、
前記装置によって記憶されたマッピングを使用して前記１つまたは複数のオフセット値に前記インジケーションをマッピングすることと、
前記１つまたは複数のオフセット値と前記ＳＳＢ  ＰＲＢの前記周波数ロケーションとに基づいて前記タイプ０  ＰＤＣＣＨ共通探索空間ＣＯＲＥＳＥＴ  ＰＲＢの前記周波数ロケーションを決定することと、
前記タイプ０  ＰＤＣＣＨ共通探索空間ＣＯＲＥＳＥＴ中でタイプ０  ＰＤＣＣＨを受信することと
を行わせるために前記命令を実行するように構成さる、装置。
［Ｃ１１］
前記タイプ０  ＰＤＣＣＨ共通探索空間ＣＯＲＥＳＥＴと前記ＳＳＢとは、時分割多重化される、
Ｃ１０に記載の装置。
［Ｃ１２］
前記タイプ０  ＰＤＣＣＨ共通探索空間ＣＯＲＥＳＥＴと前記ＳＳＢとは、周波数分割多重化される、
Ｃ１０に記載の装置。
［Ｃ１３］
１つまたは複数のオフセット値を示す前記インジケーションは、前記タイプ０  ＰＤＣＣＨ共通探索空間ＣＯＲＥＳＥＴの帯域幅をさらに示す、
Ｃ１０に記載の装置。
［Ｃ１４］
前記１つまたは複数のオフセット値の各々は、オフセットステップサイズと、前記タイプ０  ＰＤＣＣＨ共通探索空間ＣＯＲＥＳＥＴの帯域幅と、前記タイプ０  ＰＤＣＣＨ共通探索空間ＣＯＲＥＳＥＴのサブキャリア間隔（ＳＣＳ）とに基づく、
Ｃ１０に記載の装置。
［Ｃ１５］
前記オフセットステップサイズは、前記タイプ０  ＰＤＣＣＨ共通探索空間ＣＯＲＥＳＥＴの前記帯域幅、前記ＳＳＢのサブキャリア間隔、または前記タイプ０  ＰＤＣＣＨ共通探索空間ＣＯＲＥＳＥＴの前記サブキャリア間隔のうちの少なくとも１つに依存する、
Ｃ１４に記載の装置。
［Ｃ１６］
前記マッピングは、ハッシュ関数を備える、
Ｃ１０に記載の装置。
［Ｃ１７］
前記装置によって記憶された前記マッピングを使用して前記１つまたは複数のオフセット値に前記インジケーションをマッピングすることは、前記タイプ０  ＰＤＣＣＨ共通探索空間ＣＯＲＥＳＥＴのサブキャリア間隔に基づいて前記インジケーションをマッピングすることをさらに備える、
Ｃ１０に記載の装置。
［Ｃ１８］
前記１つまたは複数のオフセット値のうちのオフセット値は、ゼロのオフセット値を示し、ゼロのオフセット値は、前記ＳＳＢ  ＰＲＢのうちの最小のＰＲＢが前記アラインすることの後に前記タイプ０  ＰＤＣＣＨ共通探索空間ＣＯＲＥＳＥＴ  ＰＲＢのうちの最小のＰＲＢと同じ周波数を有することを示す、
Ｃ１０に記載の装置。
［Ｃ１９］
装置であって、
物理ブロードキャストチャネル（ＰＢＣＨ）中でタイプ０物理ダウンリンク制御チャネル（ＰＤＣＣＨ）共通探索空間制御リソースセット（ＣＯＲＥＳＥＴ）構成と物理リソースブロック（ＰＲＢ）グリッドオフセットとを受信するための手段、前記タイプ０  ＰＤＣＣＨ共通探索空間ＣＯＲＥＳＥＴ構成が、ＳＳＢのＰＲＢの周波数ロケーションに対するタイプ０  ＰＤＣＣＨ共通探索空間ＣＯＲＥＳＥＴリソースブロック（ＰＲＢ）の周波数ロケーションに関係する１つまたは複数のオフセットに対応する１つまたは複数のオフセット値を示すインジケーションを備える、と、
前記ＰＲＢグリッドオフセットを適用することによってタイプ０  ＰＤＣＣＨ共通探索空間ＣＯＲＥＳＥＴのＰＲＢグリッドとＳＳＢのＰＲＢグリッドをアラインするための手段と、
前記装置によって記憶されたマッピングを使用して前記１つまたは複数のオフセット値に前記インジケーションをマッピングするための手段と、
前記１つまたは複数のオフセット値と前記ＳＳＢ  ＰＲＢの前記周波数ロケーションとに基づいて前記タイプ０  ＰＤＣＣＨ共通探索空間ＣＯＲＥＳＥＴ  ＰＲＢの前記周波数ロケーションを決定するための手段と、
前記タイプ０  ＰＤＣＣＨ共通探索空間ＣＯＲＥＳＥＴ中でタイプ０  ＰＤＣＣＨを受信するための手段と
を備える、装置。
［Ｃ２０］
前記タイプ０  ＰＤＣＣＨ共通探索空間ＣＯＲＥＳＥＴと前記ＳＳＢとは、時分割多重化される、Ｃ１９に記載の装置。
［Ｃ２１］
前記タイプ０  ＰＤＣＣＨ共通探索空間ＣＯＲＥＳＥＴと前記ＳＳＢとは、周波数分割多重化される、Ｃ１９に記載の装置。
［Ｃ２２］
１つまたは複数のオフセット値を示す前記インジケーションは、前記タイプ０  ＰＤＣＣＨ共通探索空間ＣＯＲＥＳＥＴの帯域幅をさらに示す、
Ｃ１９に記載の装置。
［Ｃ２３］
前記１つまたは複数のオフセット値の各々は、オフセットステップサイズと、前記タイプ０  ＰＤＣＣＨ共通探索空間ＣＯＲＥＳＥＴの帯域幅と、前記タイプ０  ＰＤＣＣＨ共通探索空間ＣＯＲＥＳＥＴのサブキャリア間隔（ＳＣＳ）とに基づく、
Ｃ１９に記載の装置。
［Ｃ２４］
前記オフセットステップサイズは、前記タイプ０  ＰＤＣＣＨ共通探索空間ＣＯＲＥＳＥＴの前記帯域幅、前記ＳＳＢのサブキャリア間隔、または前記タイプ０  ＰＤＣＣＨ共通探索空間ＣＯＲＥＳＥＴの前記サブキャリア間隔のうちの少なくとも１つに依存する、
Ｃ２３に記載の装置。
［Ｃ２５］
ユーザ機器（ＵＥ）によって実行されたとき、前記ＵＥに、
物理ブロードキャストチャネル（ＰＢＣＨ）中でタイプ０物理ダウンリンク制御チャネル（ＰＤＣＣＨ）共通探索空間制御リソースセット（ＣＯＲＥＳＥＴ）構成と物理リソースブロック（ＰＲＢ）グリッドオフセットとを受信すること、前記タイプ０  ＰＤＣＣＨ共通探索空間ＣＯＲＥＳＥＴ構成は、ＳＳＢのＰＲＢの周波数ロケーションに対するタイプ０  ＰＤＣＣＨ共通探索空間ＣＯＲＥＳＥＴリソースブロック（ＰＲＢ）の周波数ロケーションに関係する１つまたは複数のオフセットに対応する１つまたは複数のオフセット値を示すインジケーションを備える、と、
前記ＰＲＢグリッドオフセットを適用することによってタイプ０  ＰＤＣＣＨ共通探索空間ＣＯＲＥＳＥＴのＰＲＢグリッドとＳＳＢのＰＲＢグリッドをアラインすることと、
前記ＵＥによって記憶されたマッピングを使用して前記１つまたは複数のオフセット値に前記インジケーションをマッピングすることと、
前記１つまたは複数のオフセット値と前記ＳＳＢ  ＰＲＢの前記周波数ロケーションとに基づいて前記タイプ０  ＰＤＣＣＨ共通探索空間ＣＯＲＥＳＥＴ  ＰＲＢの前記周波数ロケーションを決定することと、
前記タイプ０  ＰＤＣＣＨ共通探索空間ＣＯＲＥＳＥＴ中でタイプ０  ＰＤＣＣＨを受信することと
を備える方法を実行させる命令をその上に記憶した非一時的コンピュータ可読媒体。
［Ｃ２６］
前記タイプ０  ＰＤＣＣＨ共通探索空間ＣＯＲＥＳＥＴと前記ＳＳＢとは、時分割多重化される、
Ｃ２５に記載の非一時的コンピュータ可読媒体。
［Ｃ２７］
前記タイプ０  ＰＤＣＣＨ共通探索空間ＣＯＲＥＳＥＴと前記ＳＳＢとは、周波数分割多重化される、
Ｃ２５に記載の非一時的コンピュータ可読媒体。
［Ｃ２８］
１つまたは複数のオフセット値を示す前記インジケーションは、前記タイプ０  ＰＤＣＣＨ共通探索空間ＣＯＲＥＳＥＴの帯域幅をさらに示す、
Ｃ２５に記載の非一時的コンピュータ可読媒体。
［Ｃ２９］
前記１つまたは複数のオフセット値の各々は、オフセットステップサイズと、前記タイプ０  ＰＤＣＣＨ共通探索空間ＣＯＲＥＳＥＴの帯域幅と、前記タイプ０  ＰＤＣＣＨ共通探索空間ＣＯＲＥＳＥＴのサブキャリア間隔（ＳＣＳ）とに基づく、
Ｃ２５に記載の非一時的コンピュータ可読媒体。
［Ｃ３０］
前記オフセットステップサイズは、前記タイプ０  ＰＤＣＣＨ共通探索空間ＣＯＲＥＳＥＴの前記帯域幅、前記ＳＳＢのサブキャリア間隔、または前記タイプ０  ＰＤＣＣＨ共通探索空間ＣＯＲＥＳＥＴの前記サブキャリア間隔のうちの少なくとも１つに依存する、
Ｃ２９に記載の非一時的コンピュータ可読媒体。
［Ｃ３１］
ユーザ機器（ＵＥ）によるワイヤレス通信のための方法であって、
物理ダウンリンク共有チャネル（ＰＤＳＣＨ）中でのタイプ０物理ダウンリンク制御チャネル（ＰＤＣＣＨ）共通探索空間制御リソースセット（ＣＯＲＥＳＥＴ）の周波数ロケーションを決定することと、
前記タイプ０  ＰＤＣＣＨ共通探索空間ＣＯＲＥＳＥＴの前記周波数ロケーションに基づいて前記ＰＤＳＣＨ中でのタイプ０ａ物理ダウンリンク制御共通探索空間ＣＯＲＥＳＥＴの周波数ロケーションを決定することと、
前記タイプ０ａ  ＰＤＣＣＨ共通探索空間ＣＯＲＥＳＥＴを受信することと
を備える、方法。
［Ｃ３２］
タイプ０  ＰＤＣＣＨ共通探索空間ＣＯＲＥＳＥＴの前記周波数ロケーションを決定することは、
物理ブロードキャストチャネル（ＰＢＣＨ）中でタイプ０物理ダウンリンク制御チャネル（ＰＤＣＣＨ）共通探索空間制御リソースセット（ＣＯＲＥＳＥＴ）構成と物理リソースブロック（ＰＲＢ）グリッドオフセットとを受信すること、前記タイプ０  ＰＤＣＣＨ共通探索空間ＣＯＲＥＳＥＴ構成が、ＳＳＢのＰＲＢの周波数ロケーションに対するタイプ０  ＰＤＣＣＨ共通探索空間ＣＯＲＥＳＥＴリソースブロック（ＰＲＢ）の周波数ロケーションに関係する１つまたは複数のオフセットに対応する１つまたは複数のオフセット値を示すインジケーションを備える、と、
前記ＰＲＢグリッドオフセットを適用することによってタイプ０  ＰＤＣＣＨ共通探索空間ＣＯＲＥＳＥＴのＰＲＢグリッドとＳＳＢのＰＲＢグリッドをアラインすることと、
前記ＵＥによって記憶されたマッピングを使用して前記１つまたは複数のオフセット値に前記インジケーションをマッピングすることと、
前記１つまたは複数のオフセット値と前記ＳＳＢ  ＰＲＢの前記周波数ロケーションとに基づいて前記タイプ０  ＰＤＣＣＨ共通探索空間ＣＯＲＥＳＥＴ  ＰＲＢの前記周波数ロケーションを決定することと
さらに備える、Ｃ３１に記載の方法。
［Ｃ３３］
基地局（ＢＳ）によるワイヤレス通信のための方法であって、
ユーザ機器に同期信号ブロック（ＳＳＢ）を送信すること、前記ＳＳＢが、タイプ０物理的ダウンリンク制御チャネル（ＰＤＣＣＨ）共通探索空間制御リソースセット（ＣＯＲＥＳＥＴ）構成と物理リソースブロック（ＰＲＢ）グリッドオフセットとを有する物理ブロードキャストチャネル（ＰＢＣＨ）を備え、前記タイプ０  ＰＤＣＣＨ共通探索空間ＣＯＲＥＳＥＴ構成が、前記ＳＳＢのＰＲＢの周波数ロケーションに対するタイプ０  ＰＤＣＣＨ共通探索空間ＣＯＲＥＳＥＴリソースブロック（ＰＲＢ）の周波数ロケーションに関係する１つまたは複数のオフセットに対応する１つまたは複数のオフセット値を示すインジケーションを備える、と、
前記ＵＥによる受信のために前記タイプ０  ＰＤＣＣＨ共通探索空間ＣＯＲＥＳＥＴ中でタイプ０  ＰＤＣＣＨを送信することと
を備える、方法。
［Ｃ３４］
前記タイプ０  ＰＤＣＣＨ共通探索空間ＣＯＲＥＳＥＴと前記ＳＳＢとは、時分割多重化される、
Ｃ３３に記載の方法。
［Ｃ３５］
前記タイプ０  ＰＤＣＣＨ共通探索空間ＣＯＲＥＳＥＴと前記ＳＳＢとは、周波数分割多重化される、
Ｃ３３に記載の方法。
［Ｃ３６］
１つまたは複数のオフセット値を示す前記インジケーションは、前記タイプ０  ＰＤＣＣＨ共通探索空間ＣＯＲＥＳＥＴの帯域幅をさらに示す、
Ｃ３３に記載の方法。
［Ｃ３７］
前記１つまたは複数のオフセット値の各々は、オフセットステップサイズ、前記タイプ０  ＰＤＣＣＨ共通探索空間ＣＯＲＥＳＥＴの帯域幅、または前記タイプ０  ＰＤＣＣＨ共通探索空間ＣＯＲＥＳＥＴのサブキャリア間隔（ＳＣＳ）のうちの少なくとも１つに基づく、
Ｃ３３に記載の方法。
［Ｃ３８］
前記オフセットステップサイズは、前記タイプ０  ＰＤＣＣＨ共通探索空間ＣＯＲＥＳＥＴの前記帯域幅、前記ＳＳＢのサブキャリア間隔、または前記タイプ０  ＰＤＣＣＨ共通探索空間ＣＯＲＥＳＥＴの前記サブキャリア間隔のうちの少なくとも１つに依存する、
Ｃ３７に記載の方法。